(57)【要約】【課題】釣り用リールのハンドル把手において、筒状部、第１把手本体及び第２把手本体の３つの部材が即座に分解するのを防止する。【解決手段】ハンドル把手２３は、把手軸の外周側に回転自在に装着された筒状部３１と、筒状部３１の外周部に装着固定された把手部３２とを有している。筒状部３１は、外周部に形成された第１被係合部３１ｃ及び第２被係合部３１ｄを有している。把手部３２は、第１把手本体３３及び第２把手本体３４の内周部に形成され、第１把手本体３３及び第２把手本体３４を筒状部３１の外周部に装着固定したときに第１被係合部３１ｃ及び第２被係合部３１ｄに係合可能な第１係合部３３ｆ及び第２係合部３４ｆを有している。【選択図】図６
2013009599.tif 000002
【特許請求の範囲】
【請求項１】
釣り用リールのハンドルアームの先端に固定された把手軸に回転自在に装着されるハンドル把手であって、
前記把手軸の外周側に回転自在に装着された筒状の筒状部と、
前記筒状部の外周部に装着固定され、前記筒状部の外周部に装着固定したとき互いに接合可能に設けられた第１把手本体及び第２把手本体を有する把手部とを備え、
前記筒状部は、外周部に形成された第１被係合部及び第２被係合部を有しており、
前記把手部は、前記第１把手本体の内周部に形成され前記第１把手本体を前記筒状部の外周部に装着固定したときに前記第１被係合部に係合可能な第１係合部と、前記第２把手本体の内周部に形成され前記第２把手本体を前記筒状部の外周部に装着固定したときに前記第２被係合部に係合可能な第２係合部とをさらに有している、釣り用リールのハンドル把手。
【請求項２】
前記第１被係合部及び前記第２被係合部は、前記筒状部の外周部の先端部から基端部に向かう方向に沿って突出して形成されており、
前記第１係合部及び前記２係合部は、前記第１把手本体及び前記第２把手本体の内周部が前記第１被係合部及び前記第２被係合部に係合可能に溝状に凹んで形成されている、請求項１に記載の釣り用リールのハンドル把手。
【請求項３】
前記第１被係合部及び前記第２被係合部は、前記筒状部の複数箇所に形成されており、
前記第１係合部及び前記２係合部は、複数の前記第１被係合部及び前記第２被係合部に係合可能に前記第１把手本体及び前記第２把手本体の複数箇所に形成されている、請求項１又は２に記載の釣り用リールのハンドル把手。
【請求項４】
前記筒状部、前記第１把手本体及び前記第２把手本体は、合成樹脂製である、請求項１から３のいずれか１項に記載の釣り用リールのハンドル把手。
【請求項５】
前記第１把手本体及び前記第２把手本体は、接着剤により前記筒状部に接着固定されている、請求項１から４のいずれか１項に記載の釣り用リールのハンドル把手。
【請求項６】
前記釣り用リールは、スピニングリールである、請求項１から５のいずれか１項に記載の釣り用リールのハンドル把手。
【請求項７】
前記釣り用リールは、両軸受リールである、請求項１から５のいずれか１項に記載の釣り用リールのハンドル把手。
【請求項８】
前記釣り用リールは、片軸受リールである、請求項１から５のいずれか１項に記載の釣り用リールのハンドル把手。
【発明の詳細な説明】
【技術分野】
【０００１】
本発明は、ハンドル把手、特に、釣り用リールのハンドルアームの先端に固定された把手軸に回転自在に装着されるハンドル把手に関する。
【背景技術】
【０００２】
スピニングリールや、両軸受リール等の釣り用リールのハンドル軸の先端には、ハンドル組立体が固定されている。ハンドル組立体は、ハンドル軸の先端に回転不能に装着されたハンドルアームと、ハンドルアームの先端に回転不能に固定された把手軸と、把手軸に回転自在に装着されたハンドル把手とを有している。このようなハンドル把手は、把手軸に回転自在に支持された筒状部と、筒状部の外周を覆うように設けられた略柱状の把手部とを有している。
【０００３】
このようなハンドル把手では、ハンドル把手を軽量化するために、把手部をたとえばエラストマー等の合成樹脂やコルク等を加工し、筒状部の外周部全体にわたって接着固定したものが知られている（たとえば、特許文献１参照）。
【先行技術文献】
【特許文献】
【０００４】
【特許文献１】特開平１０−９８９９１号公報
【発明の概要】
【発明が解決しようとする課題】
【０００５】
前記従来のハンドル把手は、把手部は合成樹脂やコルク等によって形成されているので、ハンドル把手を軽量化することができるが、把手部は筒状部の外周部全体にわたって設けられているので、把手部の内周部の厚みだけ重量がかかってしまう。
【０００６】
そこで、ハンドル把手をさらに軽量化するために、たとえば、２つの合成樹脂製の半割り形状の第１把手本体及び第２把手本体を設け、２つの第１把手本体及び第２把手本体を筒状部の外周部に装着したときに、第１把手本体及び第２把手本体の側部が互いに接合して接着固定するように３つの部材で構成することが考えられる。ここでは、２つの合成樹脂製の半割り形状の第１把手本体及び第２把手本体を設けることによって、ハンドル把手をさらに軽量化することができる。
【０００７】
しかし、２つの第１把手本体及び第２把手本体を筒状部の外周部に装着するハンドル把手では、第１把手本体及び第２把手本体は、第１把手本体及び第２把手本体の側部が互いに接合して接着固定されているだけであるので、接合面の接着剤が剥離すると、筒状部、第１把手本体及び第２把手本体の３つの部材が即座に分解してしまうおそれが生じる。
【０００８】
本発明の課題は、釣り用リールのハンドル把手において、筒状部、第１把手本体及び第２把手本体の３つの部材が即座に分解するのを防止することにある。
【課題を解決するための手段】
【０００９】
発明１に係る釣り用リールのハンドル把手は、釣り用リールのハンドルアームの先端に固定された把手軸に回転自在に装着されるハンドル把手であって、筒状部と、把手部とを備えている。筒状部は、把手軸の外周側に回転自在に装着された筒状の部材であり、外周部に形成された第１被係合部及び第２被係合部を有している。把手部は、筒状部の外周部に装着固定され、第１把手本体及び第２把手本体と、第１係合部と、第２係合部とを有している。第１把手本体及び第２把手本体は、筒状部の外周部に装着固定したとき互いに接合可能に設けられている。第１係合部は、第１把手本体の内周部に形成され第１把手本体を筒状部の外周部に装着固定したときに第１被係合部に係合可能である。第２係合部は、第２把手本体の内周部に形成され第２把手本体を筒状部の外周部に装着固定したときに第２被係合部に係合可能である。
【００１０】
このハンドル把手は、筒状部、２つの第１把手本体及び第２把手本体からなる３つの部材によって構成されている。このハンドル把手は、筒状部の外周部には、第１被係合部及び第２被係合部が形成され、第１把手本体及び第２把手本体の内周部には、第１把手本体及び第２把手本体を筒状部の外周部に装着固定したときに第１被係合部及び第２被係合部に係合可能な第１係合部及び第２係合部が形成されている。ここでは、筒状部の第１被係合部及び第２被係合部に第１把手本体及び第２把手本体の第１係合部及び第２係合部が係合しているので、第１把手本体及び第２把手本体の接合面の接着剤が剥離したとしても、筒状部、２つの第１把手本体及び第２把手本体からなる３つの部材が即座に分解するのを防止することができる。
【００１１】
発明２に係るハンドル把手は、発明１のハンドル把手において、第１把手本体及び第２把手本体は、筒状部の外周部の先端部から基端部に向かう方向に沿って接合するように形成されている。第１被係合部及び第２被係合部は、筒状部の外周部の先端部から基端部に向かう方向に沿って突出して形成されている。第１係合部及び２係合部は、第１把手本体及び第２把手本体の内周部が第１被係合部及び第２被係合部に係合可能に溝状に凹んで形成されている。この場合、第１被係合部及び第２被係合部は、筒状部の外周部の先端部から基端部に向かう方向、すなわち、第１把手本体及び第２把手本体の接合方向（分解方向）と交差する方向に沿って形成されているので、筒状部、第１把手本体及び第２把手本体の３つの部材が即座に分解するのをさらに防止することができる。
【００１２】
発明３に係るハンドル把手は、発明１又は２のハンドル把手において、第１被係合部及び第２被係合部は、筒状部の複数箇所に形成されている。第１係合部及び２係合部は、複数の第１被係合部及び第２被係合部に係合可能に第１把手本体及び第２把手本体の複数箇所に形成されている。この場合、筒状部の第１被係合部及び第２被係合部と、第１把手本体及び第２把手本体の第１係合部及び第２係合部との係合が強固になる。
【００１３】
発明４に係るハンドル把手は、発明１から３のいずれかのハンドル把手において、筒状部、第１把手本体及び第２把手本体は、合成樹脂製である。この場合、第１把手本体及び第２把手本体を軽量化できる。
【００１４】
発明５に係るハンドル把手は、発明１から４のいずれかのハンドル把手において、第１把手本体及び第２把手本体は、接着剤により筒状部に接着固定されている。この場合、第１把手本体及び第２把手本体と、筒状部との固定が容易になる
発明６に係るハンドル把手は、発明１から５のいずれかのハンドル把手において、釣り用リールは、スピニングリールである。この場合、スピニングリールのハンドル把手において、筒状部、２つの第１把手本体及び第２把手本体からなる３つの部材が即座に分解するのを防止することができる。
【００１５】
発明７に係るハンドル把手は、発明１から５のいずれかのハンドル把手において、釣り用リールは、両軸受リールである。この場合、両軸受リールのハンドル把手において、筒状部、２つの第１把手本体及び第２把手本体からなる３つの部材が即座に分解するのを防止することができる。
【００１６】
発明８に係るハンドル把手は、発明１から５のいずれかのハンドル把手において、釣り用リールは、片軸受リールである。この場合、片軸受リールのハンドル把手において、筒状部、２つの第１把手本体及び第２把手本体からなる３つの部材が即座に分解するのを防止することができる。
【発明の効果】
【００１７】
本発明によれば、釣り用リールのハンドル把手において、筒状部の外周部には、第１被係合部及び第２被係合部が形成され、第１把手本体及び第２把手本体の内周部には、第１把手本体及び第２把手本体を筒状部の外周部に装着固定したときに第１被係合部及び第２被係合部に係合可能な第１係合部及び第２係合部が形成されているので、第１把手本体及び第２把手本体の接合面の接着剤が剥離したとしても、筒状部、２つの第１把手本体及び第２把手本体からなる３つの部材が即座に分解するのを防止することができる。
【図面の簡単な説明】
【００１８】
【図１】本発明の一実施形態を採用した両軸受リールの斜視図。
【図２】前記両軸受リールの平面一部破断図。
【図３】前記両軸受リールのハンドル把手の第１把手本体の横断面拡大図。
【図４】前記第１把手本体の斜視図。
【図５】前記ハンドル把手の斜視図。
【図６】前記ハンドル把手の軸方向の断面図。
【図７】他の実施形態の図６に相当する図。
【図８】他の実施形態の図６に相当する図。
【図９】本発明の他の実施形態を採用したスピニングリールの断面図。
【図１０】本発明の他の実施形態を採用した片軸受リールの断面図。
【発明を実施するための形態】
【００１９】
本発明の一実施形態を採用した両軸受リールは、図１及び図２に示すように、ベイトキャスト用のロープロフィール型のリールである。この両軸受リールは、リール本体１と、リール本体１の側方に配置されたスプール回転用のハンドル組立体２と、リール本体１の内部に回転自在かつ着脱自在に装着された糸巻き用のスプール１２とを備えている。ハンドル組立体２のリール本体１側には、ドラグ調整用のスタードラグ３が設けられている。
【００２０】
リール本体１は、フレーム５と、フレーム５の両側方に装着された第１側カバー６ａ及び第２側カバー６ｂとを有している。また、リール本体１は、フレーム５の前方を覆う前カバー７と、上部を覆うサムレスト８とを有している。フレーム５は、左右に所定の間隔をあけて互いに対向するように配置された１対の第１側板５ａ及び第２側板５ｂと、これらの第１側板５ａ及び第２側板５ｂを連結する図示しない複数の連結部とを有している。フレーム５は、下側の連結部に設けられた図示しない竿装着部により釣竿に装着可能である。
【００２１】
リール本体１の内部には、釣竿と交差する方向に配置されたスプール１２と、スプール１２に釣り糸を均一に巻き取るための図示しないレベルワインド機構と、ハンドル組立体２の回転をスプールに伝達する図示しない回転伝達機構とが配置されている。回転伝達機構には、ハンドル組立体２が先端に装着されたハンドル軸２０と、ハンドル組立体２の回転をスプール１２に伝達、遮断（オン、オフ）する図示しないクラッチ機構と、図示しないドラグ機構とが設けられている。ハンドル軸２０は、リール本体１にハンドル軸２０の回転軸回りに回転自在に支持されている。フレーム５の後部には、クラッチ機構をオン、オフ操作するとともに、サミングの当てとなるクラッチレバー１７が揺動自在に装着されている。
【００２２】
ハンドル組立体２は、図２に示すように、ハンドル軸２０の先端に回転不能に装着されたハンドルアーム２１と、ハンドルアーム２１の両端に固定された把手軸２２と、把手軸２２に回転自在かつ軸方向移動不能に装着されたハンドル把手２３とを有している。ハンドルアーム２１は、ハンドル軸２０の先端に回転不能に装着された座金２４と、座金２４に２本のビス２５によりねじ止めされハンドル軸２０の径方向両外方に延びる板状のアーム部２６とを有している。
【００２３】
座金２４は、両端が円形の変形菱形形状、たとえばステンレス合金等の金属製の板状部材である。座金２４は、ハンドル軸２０の先端部周面に平行に形成された面取り部２０ａに係合する小判孔２４ａを中心部に有しており、これによりハンドル軸２０に回転不能に係止される。座金２４は、ハンドル軸２０の先端に装着されたナット部材２７によりハンドル軸２０に固定されている。座金２４の両端は、アーム部２６側に折れ曲がっている。この折れ曲がった両端にビス２５が装着されアーム部２６を取り付けている。このように両端を折り曲げることでビス２５の頭部が外方に向くため、アーム部２６を着脱する際にビス２５を回しやすくなる。
【００２４】
アーム部２６は、リール本体１側の内側面とリール本体１と逆側の外側面とが滑らかな曲線で構成された、たとえばアルミニウム合金等の金属製の板状の部材であり、中心部が両端部より肉厚が厚く膨らんでいる。内側面の中心部には、ナット部材２７を回転不能に係止するための回り止め穴２６ａが形成されている。回り止め穴２６ａの周囲及び長手方向両側には、座金２４を内側面と面一に収納するための収納凹部２６ｂが形成されている。この収納凹部２６ｂの輪郭は、座金２４の外形と略同一である。アーム部２６の外側面両端には、図３に示すように、リール本体１から離れる方向に突出する円筒状のボス部２６ｃが形成されている。ボス部２６ｃの中心部には、把手軸２２をねじにより固定するための第１ねじ穴２６ｄが形成されている。第１ねじ穴２６ｄは、ハンドル軸２０の回転軸と実質的に平行な回転軸に沿って形成されかつボス部２６ｃの軸方向外方側にのみ開口するねじ穴であり、そこにはハンドル組立体２の巻き取り方向の回転と同じ右ねじが形成されている。このため、ボス部２６ｃは袋ナット状に構成され、アーム部２６の内側面には貫通孔や突出部等が形成されない。しかも、ハンドル組立体２を巻き取り方向に回転させても把手軸２２が緩みにくい。
【００２５】
把手軸２２は、図３に示すように、ハンドル軸２０の回転軸と実質的に平行な回転軸に沿って配置された、たとえばステンレス合金等の金属製の軸であり、基端に他の部分より小径の雄ねじ部２２ａが形成され、他端面に第２ねじ穴２２ｂが形成されている。また、雄ねじ部２２ａに隣接して他の部分より大径の工具係止部２２ｃが形成されている。雄ねじ部２２ａは、第１ねじ穴２６ｄに螺合しており、この螺合により把手軸２２がアーム部２６に固定される。工具係止部２２ｃの外周面には、スパナ等の工具を係止可能な平行な面取り部２２ｄが形成されている。把手軸２２の工具係止部２２ｃに隣接した外周部と先端外周部とには、軸受３０ａ、軸受３０ｂが配置されている。この軸受３０ａ、軸受３０ｂによりハンドル把手２３が把手軸２２に回転自在に支持される。軸受３０ｂは、第２ねじ穴２２ｂに装着されたボルト部材２８により軸方向移動不能に装着されている。このボルト部材２８は、軸受３０ｂを介してハンドル把手２３を把手軸２２に対して抜け止めしている。
【００２６】
ハンドル把手２３は、図３から図６に示すように、把手軸２２の外周側に回転自在に装着された筒状の筒状部３１と、筒状部３１の外周部に装着固定された把手部３２とを有している。
【００２７】
筒状部３１は、図３及び図６に示すように、把手軸２２の外周側に配置され内部を把手軸２２が貫通する筒状の本体部３１ａと、本体部３１ａの先端部の開口に形成された係止孔３１ｂと、本体部３１ａの外周部に形成された第１被係合部３１ｃ及び第２被係合部３１ｄとを有している。筒状部３１は、ポリアセタールやポリアミド樹脂等の硬質樹脂製である。本体部３１ａの内周には、図３に示すように、軸受３０ａ、軸受３０ｂが装着されており、この軸受３０ａ、軸受３０ｂによって把手軸２２に対して筒状部３１が回転自在となっている。
【００２８】
本体部３１ａの先端部の開口は、図３に示すように、有底筒状かつ硬質樹脂製の蓋部材３５により閉塞されている。蓋部材３５は、筒状部３１の本体部３１ａ後端の内周部に装着される筒状の筒状部３５ａを有している。筒状部３５ａは、前端部外周に径方向外方に突出する環状の係止部３５ｂが形成されており、筒状部３１の本体部３１ａの先端内周部に凹んで形成された係止孔３１ｂに係止部３５ｂを係止することによって、蓋部材３５の筒状部３５ａを筒状部３１の本体部３１ａに固定している。なお、蓋部材３５の筒状部３５ａの外径は、筒状部３１の本体部３１ａの内径と略同一となるように形成されており、蓋部材３５の筒状部３５ａの前端部側外周に周方向に沿って形成された図示しない複数のスリットによって蓋部材３５の筒状部３５ａが内周部側に伸縮することによって、蓋部材３５の筒状部３５ａを筒状部３１の本体部３１ａに装着することが可能である。蓋部材３５は、ハンドル把手２３を把手軸２２にボルト部材２８により装着した後、筒状部３１の本体部３１ａの先端に装着固定される。
【００２９】
第１被係合部３１ｃは、図３及び図６に示すように、後述する把手部３２の第１把手本体３３に形成された第１係合部３３ｆが係合する突出部分である。第１被係合部３１ｃは、筒状部３１の外周部の先端部から基端部に向かう方向に沿って突出して形成されている。第１被係合部３１ｃは、図６に示すように、筒状部３１の上下２箇所に対称となる位置に形成されている。
【００３０】
第２被係合部３１ｄは、図６に示すように、後述する把手部３２の第２把手本体３４に形成された第２係合部３４ｆが係合する突出部分である。第２被係合部３１ｄは、筒状部３１の外周部の先端部から基端部に向かう方向に沿って突出して形成されている。第２被係合部３１ｄは、図６に示すように、筒状部３１の上下２箇所に対称となる位置に形成されている。上下の第２被係合部３１ｄは、それぞれ上下の第１被係合部３１ｃと対称となる位置に形成されている。
【００３１】
把手部３２は、図３及び図４に示すように、把手軸２２の回転軸に沿った方向の長さが把手軸２２の回転軸の径方向に沿った長さより長い扁平棒状の部材である。把手部３２は、軟質塩化ビニル（ＰＶＣ）等の軽量樹脂製である。把手部３２は、図１及び図２に示すように、把手軸２２の回転軸方向の中心部分が狭まった形状であり、その対向する主面に把手軸２２の回転軸方向に沿って滑らかに内側に湾曲したつまみ面が形成されている。つまみ面は、つまんだときに右手の手の指先にフィットするように変形矩形状に形成されている。
【００３２】
把手部３２は、図３から図６に示すように、把手軸２２を挟んで両側に対称となるように別体で設けられた２つの半割り形状の第１把手本体３３及び第２把手本体３４と、第１把手本体３３に形成された第１係合部３３ｆと、第２把手本体３４に形成された第２係合部３４ｆとを有している。
【００３３】
第１把手本体３３及び第２把手本体３４は、図５及び図６に示すように、筒状部３１の外周部に装着固定したとき互いに接合可能に設けられている。第１把手本体３３及び第２把手本体３４は、筒状部３１の外周部の先端部から基端部に向かう方向に沿って接合するように形成されている。第１把手本体３３及び第２把手本体３４は、接着剤により筒状部３１に接着固定されている。
【００３４】
第１把手本体３３は、図３から図６に示すように、内部に空洞部を有する本体部３３ａと、本体部３３ａの基端側（図３、図４左側）が略半円形状に開口する基端開口部３３ｂと、本体部３３ａの先端側（図３、図４右側）が略半円形状に開口する先端開口部３３ｃと、基端開口部３３ｂと先端開口部３３ｃと間にほぼ等間隔に４箇所形成された板状部３３ｄとを有している。基端開口部３３ｂ及び４箇所の板状部３３ｄは、図４及び図５に示すように、筒状部３１が装着される略半円形状の切り欠きからなる装着部３３ｅと、装着部３３ｅの上下２箇所に形成され筒状部３１の上下２箇所に形成された第１被係合部３１ｃに係合する上下２箇所の合計１０箇所の第１係合部３３ｆとが形成されている。
【００３５】
第１係合部３３ｆは、図３から図６に示すように、第１把手本体３３の内周部に形成され、第１把手本体３３を筒状部３１の外周部に装着固定したときに第１被係合部３１ｃに係合可能である。第１係合部３３ｆは、第１把手本体３３の内周部が第１被係合部３１ｃに係合可能に溝状に凹んで形成されている。第１被係合部３１ｃは、筒状部３１の外周部の先端部から基端部に向かう方向、すなわち、第１把手本体３３及び第２把手本体３４の接合方向（分解方向）と交差する方向に沿って形成されている。
【００３６】
第２把手本体３４は、図５及び図６に示すように、内部に空洞部を有する本体部３４ａと、本体部３４ａの基端側が略半円形状に開口する基端開口部３４ｂと、本体部３４ａの先端側が略半円形状に開口する先端開口部３４ｃと、基端開口部３４ｂと先端開口部３４ｃと間にほぼ等間隔に４箇所形成された板状部３４ｄとを有している。基端開口部３４ｂ及び４箇所の板状部３４ｄは、図５に示すように、筒状部３１が装着される略半円形状の切り欠きからなる装着部３４ｅと、装着部３４ｅの上下２箇所に形成され筒状部３１の上下２箇所に形成された第２被係合部３１ｄに係合する上下２箇所の合計１０箇所の第２係合部３４ｆとが形成されている。第２把手本体３４は、第１係合部３３ｆとの接合面に対して対称となる形状になるように形成されている。
【００３７】
第２係合部３４ｆは、図５及び図６に示すように、第２把手本体３４の内周部に形成され、第２把手本体３４を筒状部３１の外周部に装着固定したときに第２被係合部３１ｄに係合可能である。第２係合部３４ｆは、第２把手本体３４の内周部が第２被係合部３１ｄに係合可能に溝状に凹んで形成されている。第２被係合部３１ｄは、筒状部３１の外周部の先端部から基端部に向かう方向、すなわち、第１把手本体３３及び第２把手本体３４の接合方向（分解方向）と交差する方向に沿って形成されている。
【００３８】
また、第１把手本体３３の外周面には、図５及び図６に示すように、第１把手本体３３と第２把手本体３４との接合面が、第１把手本体３３及び第２把手本体３４の面一な外周面より１段凹んで形成された上下２箇所の溝部３３ｇが形成されている。溝部３３ｇは、第１把手本体３３と第２把手本体３４との接合面に沿って形成された溝であって、第１把手本体３３と第２把手本体３４の外周面にソフトタッチ塗料を塗布した場合でも、第１把手本体３３と第２把手本体３４との接合面に溝部３３ｇを設けることによって塗料のひびや第１把手本体３３と第２把手本体３４との接合面の段差が目立ちにくくなる。
【００３９】
このようなハンドル把手２３を組み立てるには、筒状部３１の外周面、第１把手本体３３の装着部３３ｅ、第２把手本体３４の装着部３４ｅ、第１把手本体３３と第２把手本体３４との接合面に接着剤を塗布した状態で、筒状部３１の第１被係合部３１ｃの突出部に第１係合部３３ｆの溝部を係合するように第１把手本体３３を筒状部３１に装着し、同時に、筒状部３１の第２被係合部３１ｄの突出部に第２係合部３４ｆの溝部を係合するように第２把手本体３４を筒状部３１に装着し、第１把手本体３３と第２把手本体３４との接合面を合わせることによって、筒状部３１に第１把手本体３３及び第２把手本体３４を接着固定する。
【００４０】
このように構成されたハンドル組立体２では、ハンドルアーム２１のアーム部２６の両端に軸方向外方にのみ開口する第１ねじ穴２６ｄを形成し、第１ねじ穴２６ｄに把手軸２２を螺合させて固定しているので、アーム部２６の内側面に突出部がなくなり、この内側面に釣り糸が引っかかりにくくなり絡みにくくなる。また、座金２４をハンドル軸２０に固定し、その座金２４にアーム部２６を固定してハンドルアーム２１を構成しているので、アーム部２６の外側面も滑らかな形状にすることができ、外側面でも釣り糸が絡みにくくなる。しかも、座金２４をアーム部２６の収納凹部２６ｂに収納して内側面から突出しないようにしているので、アーム部２６の内側面の中心部での引っかかりも少なくなる。
【００４１】
次にリールの動作について説明する。
【００４２】
キャスティング時には、クラッチレバー１７によりクラッチ機構を離脱状態にしてスプール１２を自由回転状態にする。この状態で釣竿をキャスティングすると、ルアーの自重によりルアーが前方に飛行しスプール１２から釣り糸が繰り出される。このとき、バックラッシュ現象が発生すると糸ふけが生じ、釣り糸がリール本体１の後部から飛び出しハンドル組立体２に引っかかろうとする。しかし、前述したように、アーム部２６の内側面に突出部がないので釣り糸が引っかかりにくくなりアーム部２６に絡みにくくなる。
【００４３】
ルアーが着水すると、所定のタイミングでハンドル組立体２を僅かに巻き取り方向に回転させ、クラッチ機構を係合状態にする。するとスプール１２が繰り出し方向への回転が停止する。この状態でハンドル組立体２を回したり釣竿を上下動させてルアーを泳がせて当たりを待つ。魚がルアーに掛かるとハンドル組立体２を巻き取り方向に回転させて魚を取り込む。このようにハンドル組立体２を巻き取り方向に回転させても、把手軸２２が巻き取り方向と同方向のねじにより固定されているので、把手軸２２が緩みにくい。
【００４４】
このようなハンドル把手２３では、筒状部３１の外周部には、第１被係合部３１ｃ及び第２被係合部３１ｄが形成され、第１把手本体３３及び第２把手本体３４の内周部には、第１把手本体３３及び第２把手本体３４を筒状部３１の外周部に装着固定したときに第１被係合部３１ｃ及び第２被係合部３１ｄに係合可能な第１係合部３３ｆ及び第２係合部３４ｆが形成されている。ここでは、筒状部３１の第１被係合部３１ｃ及び第２被係合部３１ｄに第１把手本体３３及び第２把手本体３４の第１係合部３３ｆ及び第２係合部３４ｆが係合しているので、第１把手本体３３及び第２把手本体３４の接合面の接着剤が剥離したとしても、筒状部３１、２つの第１把手本体３３及び第２把手本体３４からなる３つの部材が即座に分解するのを防止できる。
【００４５】
〔他の実施形態〕
（ａ）  前記実施形態では、両軸受リールを例にあげて説明したが、図９に示すスピニングリールや、図１０に示す片軸受リール等の他形式の釣り用リールのハンドルつまみにも本発明を適用できる。また、ハンドルつまみは、ダブルハンドルのものに限定されず、シングルハンドルのものにも本発明を適用できる。
【００４６】
本発明の他の実施形態を採用したスピニングリールは、図９に示すように、ハンドル組立体１０１と、ハンドル組立体１０１を回転自在に支持するリール本体１０２と、ロータ１０３と、図示しないスプールとを備えている。ハンドル組立体１０１は、リール本体１０２の両側部の一方側に交換可能に装着されている。ロータ１０３は、リール本体１０２の前部に回転自在に支持されている。スプールは、釣り糸を外周面に巻き取るものであり、ロータ１０３の前部に前後移動自在に配置されている。
【００４７】
ハンドル組立体１０１は、ハンドル軸１１０の先端に装着されるハンドルアーム１２１と、ハンドルアーム１２１の先端に装着されたハンドル把手１２３とを備えている。ハンドル把手１２３は、ハンドルアーム１２１の先端にかしめ固定された把手軸１２２に回転自在に装着されている。ハンドル把手１２３は、把手軸１２２に回転自在かつ軸方向移動不能に装着される筒状部１３１と、筒状部１３１の外周に回転不能に装着固定された把手部１３２とを有している。
【００４８】
なお、ハンドル把手１２３の構成は、前記実施形態の図番に１００を加えたものと同様であるので、詳細な説明は省略する。ここでは、スピニングリールのハンドル把手１２３においても、前記実施形態と同様に、筒状部１３１の第１被係合部１３１ｃ及び第２被係合部１３１ｄに第１把手本体１３３及び第２把手本体１３４の第１係合部１３３ｆ及び第２係合部１３４ｆが係合しているので、第１把手本体１３３及び第２把手本体１３４の接合面の接着剤が剥離したとしても、筒状部１３１、２つの第１把手本体１３３及び第２把手本体１３４からなる３つの部材が即座に分解するのを防止できる。
【００４９】
本発明の他の実施形態を採用した片軸受リールは、図１０に示すように、リール本体２０１と、リール本体２０１に片持ち支持されたスプール軸２０２と、スプール軸２０２に対して相対回転自在に配置され外周に釣り糸が巻かれるスプール２０３とを備えている。スプール２０３は、筒状の糸巻胴部２１５と、糸巻胴部２１５の一端部に糸巻胴部２１５と一体で形成された円板状の内フランジ２１６と、糸巻胴部２１５の他端部にリール本体２０１の開放部を覆うように装着された外フランジ２１７とを有している。外フランジ２１７の外面で外周近くにはハンドル把手２２３が取り付けられている。ハンドル把手２２３は、外フランジ２１７に立設された把手軸２２２に回転自在に装着されている。ハンドル把手２２３は、把手軸２２２に回転自在かつ軸方向移動不能に装着される筒状部２３１と、筒状部２３１の外周に回転不能に装着固定された把手部２３２とを有している。
【００５０】
なお、ハンドル把手２２３の構成は、前記実施形態の図番に２００を加えたものと同様であるので、詳細な説明は省略する。ここでは、片軸受リールのハンドル把手２２３においても、前記実施形態と同様に、筒状部２３１の第１被係合部２３１ｃ及び第２被係合部２３１ｄに第１把手本体２３３及び第２把手本体２３４の第１係合部２３３ｆ及び第２係合部２３４ｆが係合しているので、第１把手本体２３３及び第２把手本体２３４の接合面の接着剤が剥離したとしても、筒状部２３１、２つの第１把手本体２３３及び第２把手本体２３４からなる３つの部材が即座に分解するのを防止できる。
【００５１】
（ｂ）  前記実施形態では、第１把手本体３３の外周面には、第１把手本体３３と第２把手本体３４との接合面が、第１把手本体３３及び第２把手本体３４の面一な外周面より１段凹んで形成された上下２箇所の溝部３３ｇが形成されていたが、図７に示すように、第２把手本体３４の外周面に、第１把手本体３３と第２把手本体３４との接合面が、第１把手本体３３及び第２把手本体３４の面一な外周面より１段凹んで形成された上下２箇所の溝部３４ｇを形成してもよい。また、図８に示すように、第１把手本体３３及び第２把手本体３４の外周面に、第１把手本体３３と第２把手本体３４との接合面が、第１把手本体３３及び第２把手本体３４の面一な外周面より１段凹んで形成された上下２箇所の合計４箇所の溝部３３ｇ及び溝部３４ｇを形成してもよい。なお、溝部３３ｇ及び溝部３４ｇは第１把手本体３３と第２把手本体３４との接合面に対して対称となるように形成されている。ここでは、前記実施形態と同様に、第１把手本体３３と第２把手本体３４との接合面に溝部３４ｇや溝部３３ｇ及び溝部３４ｇを設けることによって塗料のひびや第１把手本体３３と第２把手本体３４との接合面の段差が目立ちにくくなる。
【符号の説明】
【００５２】
１  リール本体
２  ハンドル組立体
３  スタードラグ
５  フレーム
５ａ  第１側板
５ｂ  第２側板
６ａ  第１側カバー
６ｂ  第２側カバー
７  前カバー
８  サムレスト
１２  スプール
１７  クラッチレバー
２０  ハンドル軸
２０ａ  面取り部
２１  ハンドルアーム
２２  把手軸
２２ａ  雄ねじ部
２２ｂ  第２ねじ穴
２２ｃ  工具係止部
２２ｄ  面取り部
２３  ハンドル把手
２４  座金
２４ａ  小判孔
２５  ビス
２６  アーム部
２６ａ  回り止め穴
２６ｂ  収納凹部
２６ｃ  ボス部
２６ｄ  第１ねじ穴
２７  ナット部材
２８  ボルト部材
３０ａ  軸受
３０ｂ  軸受
３１  筒状部
３１ａ  本体部
３１ｂ  係止孔
３１ｃ  第１被係合部
３１ｄ  第２被係合部
３２  把手部
３３  第１把手本体
３３ａ  本体部
３３ｂ  基端開口部
３３ｃ  先端開口部
３３ｄ  板状部
３３ｅ  装着部
３３ｆ  第１係合部
３３ｇ  溝部
３４  第２把手本体
３４ａ  本体部
３４ｂ  基端開口部
３４ｃ  先端開口部
３４ｄ  板状部
３４ｅ  装着部
３４ｆ  第２係合部
３４ｇ  溝部
３５  蓋部材
３５ａ  筒状部
３５ｂ  係止部
１０１  ハンドル組立体
１０２  リール本体
１０３  ロータ
１１０  ハンドル軸
１２１  ハンドルアーム
１２２  把手軸
１２３  ハンドル把手
１３１  筒状部
１３１ｃ  第１被係合部
１３１ｄ  第２被係合部
１３２  把手部
１３３  第１把手本体
１３３ｆ  第１係合部
１３４  第２把手本体
１３４ｆ  第２係合部
２０１  リール本体
２０２  スプール軸
２０３  スプール
２１５  糸巻胴部
２１６  内フランジ
２１７  外フランジ
２２２  把手軸
２２３  ハンドル把手
２３１  筒状部
２３１ｃ  第１被係合部
２３１ｄ  第２被係合部
２３２  把手部
２３３  第１把手本体
２３３ｆ  第１係合部
２３４  第２把手本体
２３４ｆ  第２係合部
【図１】
2013009599.tif 000003
【図２】
2013009599.tif 000004
【図３】
2013009599.tif 000005
【図４】
2013009599.tif 000006
【図５】
2013009599.tif 000007
【図６】
2013009599.tif 000008
【図７】
2013009599.tif 000009
【図８】
2013009599.tif 000010
【図９】
2013009599.tif 000011
【図１０】
2013009599.tif 000012